(57)【要約】【課題】携帯電話に地上波デジタルＴＶの受信機等他の無線機を搭載した場合に、他の無線機の受信部が携帯電話の無線部から発信する電波の影響を受けることなく動作することを目的とする。【解決手段】携帯無線端末は第１のアンテナ１１と第１の受信部２１と第１の送信部２２とを備え、第１の周波数帯域で通信を行う第１の通信装置と、第２のアンテナ１２と第２の受信部２３とを備え、第２の周波数帯域で映像、画像、音声等といったデータの受信を行う第２の通信装置を有している。第２の受信部２３が受信を行っているときは第１の通信装置の通信機能を停止させる。それによって第２の受信部２３が受信を行っている間は第１の通信装置から電波が発信することがないため、第１の通信装置が第２の通信装置に与える影響を解消することができる。【選択図】  図２
2004207880.tif 000002
【特許請求の範囲】
【請求項１】
第１のアンテナと第１の受信部と第１の送信部とを備え、第１の周波数帯域で通信を行う第１の通信装置と、
第２のアンテナと第２の受信部とを備え、第２の周波数帯域で映像、画像、音声といったデータの受信を行う第２の通信装置と
を備えた携帯無線端末であって、
前記第１の通信装置又は第２の通信装置の中の何れか一方のみの作動を許容する選択作動手段
を備えていることを特徴とする携帯無線端末。
【請求項２】
第１のアンテナと第１の受信部と第１の送信部とを備え、第１の周波数帯域で通信を行う第１の通信装置と、
第２のアンテナと第２の受信部とを備え、第２の周波数帯域で映像、画像、音声といったデータの受信を行う第２の通信装置と
を備えた携帯無線端末であって、
該第２の通信装置が通信を行っていることを判別する通信判別手段と、
該第２の通信装置が通信を行っているときは、前記通信判別手段から送られる制御信号によって前記第１の通信装置の通信機能を停止させる通信停止手段と
を備えていることを特徴とする携帯無線端末。
【請求項３】
前記通信停止手段は、
前記第１の送信部への電源供給を停止する電源供給停止手段
であることを特徴とする請求項２記載の携帯無線端末。
【請求項４】
前記通信停止手段は、
前記第１の送信部及び前記第１の受信部への電源供給を停止する電源供給停止手段
であることを特徴とする請求項２記載の携帯無線端末。
【請求項５】
前記通信停止手段は、
前記第１のアンテナと前記第１の通信装置との間を接続する回路を切断する切換部
であることを特徴とする請求項２記載の携帯無線端末。
【請求項６】
前記第１のアンテナ及び第２のアンテナは、１本の共用アンテナに統合され、分波器により前記第１の通信装置及び前記第２の通信装置に受信電波が分配される
ことを特徴とする請求項１〜５いずれかに記載の携帯無線端末。
【請求項７】
前記携帯無線端末は、
前記第２の通信装置での受信が可能であるか否かを判別する受信レベル判別手段と、
前記第２の通信装置での受信が不可能なときに受信レベル判別手段から送られる制御信号により前記第１の通信装置を通信可能な状態に切換える切換手段と
を備えていることを特徴とする請求項１〜６いずれかに記載の携帯無線端末。
【発明の詳細な説明】
【０００１】
【発明の属する技術分野】
本発明は、携帯電話に、地上波デジタルテレビジョン放送の受信機等といった他の無線機を搭載した携帯無線端末に関する。
【０００２】
【従来の技術】
近年、携帯電話等のような準マイクロ波帯を使用した各種移動体通信が脚光を浴びており、携帯電話の普及率も年々上昇している。その一方で、携帯電話の発信する電波がテレビジョン（以下、ＴＶと略称する）やラジオ等の各種無線システムに悪影響を与えることがある。例えば、携帯電話をＴＶやラジオのアンテナの近くで使用した場合、ＴＶやラジオのアンテナが携帯電話の発信する電波を拾ってしまい、ノイズ等の映像及び音声データの劣化や、システムの異常の原因となっている。
【０００３】
図９は、従来の携帯電話と携帯ＴＶの使用例を示した図である。
図９において、８０は送受信機能を有する携帯電話であり、９０は受信機能を有する携帯ＴＶ受信機である。
【０００４】
図１０は、  携帯電話及び携帯ＴＶ受信機それぞれのシステム構成を示したブロック図である。
携帯ＴＶ受信機９０は、アンテナ９１で電波を受信すると、その電波にＴＶの受信部内にあるフィルターをかけるが、ＴＶの周波数であるＵＨＦ帯は帯域が広いので、フィルターによってＵＨＦ帯以外の周波数を遮断することが難しく、ＵＨＦ帯以外の周波数の電波もフィルターを通過する。このため、携帯ＴＶ受信機９０の近傍で携帯電話８０を使用した場合、携帯電話８０のアンテナ８１から発信される強い電波ＰＤＣ(Ｔｘ)が携帯ＴＶ受信機９０のアンテナ９１で受信され、さらに携帯ＴＶ受信機９０の受信部内でフィルターを使用して完全には遮断することができない。それによって、携帯電話８０から発信される強い電波が携帯ＴＶ受信機９０の周波数の電波に干渉して、映像の乱れやノイズ等の原因となっている。
【特許文献１】
特開２００１−２９８５２８号
【０００５】
【発明が解決しようとする課題】
最近は、携帯電話のアプリケーションの多様化に伴い、他の無線機を同じ端末筐体に搭載した携帯電話の開発ニーズが高まっている。特に２００３年に開始される予定である地上波デジタルＴＶの受信機を搭載した携帯電話の開発に対しての期待は大きいものである。ところで、携帯電話にＴＶの受信機を搭載した携帯無線端末にあっては、携帯電話の無線部と地上波デジタルＴＶ等の無線部とを同一の端末筐体に搭載することによって、ＴＶ受信機と携帯電話との無線部同士がさらに近傍に位置するようになるため、携帯電話の送信部から発信する電波が地上波デジタルＴＶの受信機に従来よりも強く入射することが考えられる。そのためＴＶのノイズ等の映像及び音声データの劣化はさらに悪化し、場合によっては入射した電力によりシステムが破損することがある。
【０００６】
また、アンテナを１本で共有し、携帯電話の無線部と地上波デジタルＴＶの無線部とがつながっている場合には、電波の回り込みが起こり、フィルター等を使用してもお互いの電波を完全には遮断できないため、それぞれの受信回路に大きな支障をきたす可能性がある。
【０００７】
本発明はこのような課題に鑑みてなされたものであり、特に携帯電話に地上波デジタルＴＶ等の連続した画像、映像、音声データの受信を行う無線機を搭載した場合に、携帯電話の発信する電波の影響によるバースト的なノイズが発生することなく受信を行うことが可能な携帯無線端末を提供することを目的とする。
【０００８】
【課題を解決するための手段】
上記目的を達成するために、本発明の携帯無線端末は、第１のアンテナと第１の受信部と第１の送信部とを備え、第１の周波数帯域で通信を行う第１の通信装置と、第２のアンテナと第２の受信部とを備え、第２の周波数帯域で映像、画像、音声といったデータの受信を行う第２の通信装置とを備えた携帯無線端末であって、前記第１の通信装置又は第２の通信装置の中の何れか一方のみの作動を許容する選択作動手段を備えていることを特徴とする。
【０００９】
また、本発明の携帯無線端末は、第１のアンテナと第１の受信部と第１の送信部とを備え、第１の周波数帯域で通信を行う第１の通信装置と、第２のアンテナと第２の受信部とを備え、第２の周波数帯域で映像、画像、音声といった連続するデータの受信を行う第２の通信装置とを備えた携帯無線端末であって、該第２の通信装置が通信を行っていることを判別する通信判別手段と、該第２の通信装置が通信を行っているときは、前記通信判別手段から送られる制御信号によって前記第１の通信装置の通信機能を停止させる通信停止手段とを備えていることを特徴とする。
【００１０】
このような構成を備えることにより、第２の通信装置が受信を行っている間は第１の通信装置は電波を発信しないため、第２の通信装置は第１の周波数帯の強い電波を受信することがないため、ノイズによるデータの劣化等の影響がなくなる。
【００１１】
また、本発明の携帯無線端末においては、前記通信停止手段は、前記第１の送信部への電源供給を停止する電源供給停止手段であることを特徴とする。
また、本発明の携帯無線端末においては、前記通信停止手段は、前記第１の送信部及び前記第１の受信部への電源供給を停止する電源供給停止手段であることことを特徴とする。
【００１２】
このような構成を備えることにより、第２の受信機が受信を行っているときに、第１の送信部への電源供給を停止することによって第１のアンテナから電波が発信されることがなくなり、第１の送信部から発信する信号が第１のアンテナ及び第２のアンテナを介して受信部に入射することがなくなる、また、第１の受信部の電源供給を停止することによって第１の受信部からもれるＩＦ（中間周波数）やローカル等の信号によって第２の受信部が受ける影響を解消することができる。
【００１３】
また、本発明の携帯無線端末においては、前記通信停止手段は、前記第１のアンテナと前記第１の通信装置との間を接続する回路を切断する切換部であることを特徴とすることを特徴とする。
【００１４】
このような構成を備えることにより、第１のアンテナと第１の通信装置との間を接続する回路を切断することによって第１の送信部から発信する信号は第１のアンテナで発信されることがないため、第１の送信部から発信する信号によって第２の受信部が受ける影響を解消することができる。
【００１５】
また、本発明の携帯無線端末においては、前記第１のアンテナ及び第２のアンテナは、１本の共用アンテナに統合され、分波器により前記第１の通信装置及び前記第２の通信装置に受信電波が分配されることを特徴とする。
【００１６】
このような構成を備えることにより、アンテナを１本で共有する場合第１の送信部から発信する信号が第２の受信部に回り込みノイズ等の影響を与えるが、第１の通信装置の通信機能を停止させることによってこの問題を解消することができる。
【００１７】
また、本発明の携帯無線端末は、さらに、前記第２の通信装置での受信が可能であるか否かを判別する受信レベル判別手段と、前記第２の通信装置での受信が不可能なときに受信レベル判別手段から送られる制御信号により前記第１の通信装置を通信可能な状態に切換える切換手段とを備えていることを特徴とする。
【００１８】
このような構成を備えることにより、第２の通信装置での受信が不可能である場合に自動的に第１の通信装置を通信可能な状態に復帰させることができるため非常に便利である。
【００１９】
【発明の実施の形態】
以下、図面を参照しながら、本発明による携帯無線端末を、実施の形態毎に分けて説明する。
［第１の実施の形態］
図１は、本発明の第１の実施の形態による携帯無線端末の外観斜視図である。図１に示す携帯無線端末１は、無線通信を行うための第１のアンテナ１１及び第２のアンテナ１２、ユーザインタフェイスとしての液晶表示部１４及び操作部１５、通話を行うための送話部１６及び受話部１７、通信を切換えるための切換スイッチとしての切換ボタン１８を、同一の端末筐体１０に備えて構成されている。
【００２０】
図２は、図１に示した携帯無線端末のシステム構成を示したブロック図である。
図２において、第１の受信部２１は携帯電話の受信機能部であり、第１のアンテナ１１で受信された電波を増幅する増幅回路部に加え、周波数変換部、復調部、及び電気音響変換部、等が備えられて構成されている。第２の受信部２３はＴＶの受信機能部であり、第２のアンテナ１２で受信された電波を増幅する増幅回路部に加え、周波数変換部、及び復調部、等が備えられて構成されている。
【００２１】
また、第１の送信部２２は携帯電話の送信機能部であり、音響電気変換部変調部、周波数変換部、及び電力増幅回路等が備えられて構成されており、第１のアンテナ１１を使用して電波を送信する。
【００２２】
制御部３１はマイクロコンピュータ等から構成されており、装置全体の制御を行うとともに、第１の受信部２１、第２の受信部２３、第１の送信部２２とともに、図１に示した、操作部１５、液晶表示部１４、分波器４１等の動作を制御している。
【００２３】
分波器４１は、制御部３１から送られる信号により、送信を行うときは、第１の送信部２２側の回路を接続し、受信を行うときは、第１の受信部２１側の回路を接続する。
【００２４】
モード切換部５１は、第１の送信部２２と第２の受信部２３とに接続されており、制御部３１からの命令信号に基づき、それぞれにモード制御信号を送ることができる。ユーザーが切換ボタン１８（図１参照）を押すことによって、制御部３１はモード切換部５１に命令信号を送り、モード切換部５１は以下の２つのモードに切換えるモード制御信号を第１の送信部２２及び第２の受信部２３に送り、第１の送信部２２及び第２の受信部２３は入力されたモード制御信号に対応する予め定められた処理を実行する。
【００２５】
モード１（ＴＶモード）：第１の送信部２２への電源供給を停止し、第１の送信部２２による第１のアンテナ１１を使用しての電波の送信を禁止させるとともに、第２の受信部２３へ電源供給を行い、第２のアンテナ１２で受信される電波の第２の受信部２３による受信処理（例えば、増幅、周波数変換、復調等の処理）を実行可能にする。
【００２６】
モード２（電話モード）：第２の受信部２３への電源供給を停止し、第２のアンテナ１２で受信される電波の第２の受信部２３による受信処理を停止させるとともに、第１の送信部２２へ電源供給を行い、第１のアンテナ１１を使用しての第１の送信部２２による電波の送信を実行可能にする。
【００２７】
したがって、ユーザーは、切換ボタン１８の操作により、ＴＶを見る場合には、モード１を選択し、携帯電話を使用する場合にはモード２を選択する。
これにより、携帯電話で送信を行っているときには、ＴＶの受信機能部である第２の受信部２３に電源供給が行われていないため、第２のアンテナ１２を介して第２の受信部２３により電波が受信されることがないので、第１の送信部２２から発信される強い電波によって、第２の受信部２３のシステムが破損することがない。
【００２８】
また、第２の受信部２３で受信を行っているときには、携帯電話の送信機能部である第１の送信部２２には電源供給が行われていないため、第２の受信部２３には第１のアンテナ１１を介して携帯電話から発信する強い電波が第２のアンテナ１２を介して第２の受信部２３に入力されることがないので、混信がなくなり、映像の劣化やノイズ等を改善することができる。
また、第１の送信部２２又は第２の受信部２３の電源供給を排他的に停止することによって節電効果もあり、電池の持ちが良くなる。
【００２９】
さらに、第１の送信部２２への電源供給が停止している場合でも、第１の受信部２１は動作しているため、圏外・圏内等といった情報報知のために使用される基地局等から電波は、第１の受信部２１で受信することができる。
【００３０】
［第２の実施の形態］
図３は、本発明の第２の実施の形態による携帯無線端末のシステム構成を示したブロック図である。
なお、本実施の形態の携帯無線端末２の説明に当たって、第１のアンテナ、第２のアンテナ、液晶表示部、操作部、送話部、受話部、切換ボタンといった各部を備えていることは、図１に示した第１の実施の形態の携帯無線端末１の場合と変わらないので、これら各部については、同じ符号を付してその説明を省略する。また、本実施の形態の携帯無線端末２の外観図は、これら各部が端末筐体に備えられている構成であるならば、その外観（デザイン）の相異は関係しないので省略する。
【００３１】
本実施の形態の携帯無線端末２では、モード切換部５１を、第１の実施の形態に対し、図３に示すように、第１の送信部２２及び第２の受信部２３に加えて、第１の受信部２１にも接続し、モード切換部５１はそれぞれにモード制御信号を送ることができる構成になっている。
【００３２】
そして、ユーザーが切換ボタン１８を押すことによって、制御部３１はモード切換部５１に命令信号を送り、モード切換部５１は以下の２つのモードに切換えるモード制御信号を第１の送信部２２、第１の受信部２１、及び第２の受信部２３に送り、第１の送信部２２、第１の受信部２１、及び第２の受信部２３は、入力されたモード制御信号に対応する予め定められた処理を実行する。
【００３３】
モード１（ＴＶモード）：第１の送信部２２及び第１の受信部２１への電源供給を停止し、第１の送信部２２及び第１の受信部２１による第１のアンテナ１１を使用しての電波の送受信を禁止させるとともに、第２の受信部２３へ電源供給を行い、第２のアンテナ１２で受信される電波の第２の受信部２３による受信処理（例えば、増幅、周波数変換、復調等の処理）を実行可能にする。
【００３４】
モード２（電話モード）：第２の受信部２３への電源供給を停止し、第２のアンテナ１２で受信される電波の第２の受信部２３による受信処理を停止させるとともに、第１の送信部２２及び第１の受信部２１へ電源供給を行い、第１のアンテナ１１を使用しての第１の送信部２２及び第１の受信部２１による電波の送受信を実行可能にする。
【００３５】
したがって、ユーザーは、切換ボタン１８の操作により、ＴＶを見る場合には、モード１を選択し、携帯電話を使用する場合にはモード２を選択する。
これにより、携帯電話で送信又は受信を行っているときには、ＴＶの受信機能部である第２の受信部２３に電源供給が行われていないため、第２のアンテナ１２を介して第２の受信部２３により電波が受信されることがないので、第１の実施の形態の場合と同様に、第１の送信部２２から発信される強い電波によって、第２の受信部２３のシステムが破損する等といった、第２の受信部２３が受ける影響を解消することができる。
【００３６】
さらに、この間、第１の受信部２１の動作も停止するため、ＴＶを見る場合に、第１の受信部２１が受信を行うことによって生じるＩＦ（中間周波数）やローカル等の電波の漏れが、第２の受信部２３に与える影響がなくなる。
また、ＴＶを見る場合は、第１の送信部２２及び第１の受信部２１の両方の電源供給を停止するため、節電効果もさらに高まっている。
【００３７】
［第３の実施の形態］
図４は、本発明の第３の実施の形態による携帯無線端末のシステム構成を示したブロック図である。
なお、本実施の形態の携帯無線端末３の説明に当たっても、前述した第２の実施の形態の場合と同様に、第１の実施の形態の場合と構成が同じ各部については同一符号を付し、外観図も省略する。
【００３８】
本実施の形態の携帯無線端末３では、第２の実施の形態の携帯無線端末２の場合の、モード制御信号を第１の受信部２１、第１の送信部２２、及び第２の受信部２３を供給して、これら各部の電源供給／停止を制御する代わりに、第１のアンテナ１１と分波器４１との間に切換部６１を介在させ、この切換部６１がモード切換部５１からのモード制御信号によってその作動が制御される構成になっている。
【００３９】
切換部６１は、モード切換部５１から送られるモード制御信号によって、以下の２つのモードに切換え作動され、第１の送信部２２及び第１の受信部２１を通信停止及びその復帰を行う。
【００４０】
モード１（ＴＶモード）：第１のアンテナ１１と分波器４１との間を接続する回路を切断する。
モード２（電話モード）：第１のアンテナ１１と分波器４１との間の回路を接続する。
【００４１】
したがって、ユーザーは、切換ボタン１８の操作により、ＴＶを見る場合には、モード１を選択し、携帯電話を使用する場合にはモード２を選択する。
これにより、ＴＶを見る場合には、モード切換部５１から送られるモード制御信号によって、切換部６１は、第１のアンテナ１１と分波器４１との間を接続する回路を切断するため、第１のアンテナ１１を介して第１の送信部２２から電波が発信されることがない。
【００４２】
そのため、第１の受信部２１及び第１の送信部２２は、第１のアンテナ１１と切り離され、携帯電話として機能できなくなるので、第２のアンテナ２３を介して、ＴＶの受信機能部としての第２の受信部２３に、携帯電話の発信電波が入力することがないので、映像の劣化やノイズ等の影響を改善することができる。
【００４３】
［第４の実施の形態］
図５は、本発明の第４の実施の形態による携帯無線端末の外観斜視図である。図５に示す携帯無線端末４は、図１に示した携帯無線端末１と異なり、無線通信を行うための第１のアンテナ１１及び第２のアンテナ１２が１本の共用アンテナ１３で構成され、液晶表示部１４をはじめとするその余の各部の構成については、同様であるので、その説明は省略する。
【００４４】
図６は、図５に示した携帯無線端末のシステム構成を示したブロック図である。
図６において、本実施の形態による携帯無線端末４のシステム構成は、先に図３に示した第２の実施の形態による携帯無線端末２のシステム構成と、第１のアンテナ１１及び第２のアンテナ１２が１本の共用アンテナ１３で構成されていることに関係し、共用アンテナ１３は第１の分波器４２に接続され、この第１の分波器４２は第２の分波器４３及び第２の受信部２３に接続されている。
【００４５】
この第１の分波器４２は、モード切換部５１から送られるモード制御信号により、共用アンテナ１３を、第２の分波器４３側の回路と、第２の受信部２３側の回路との中の、何れかに一方に接続する。
【００４６】
また、第２の分波器４３は、前述した第１〜第３の実施の形態の携帯無線端末１〜３のシステム構成において説明した分波器４１に対応し、制御部３１から送られる信号により、送信を行うときは、第１の送信部２２側の回路を接続し、受信を行うときは、第１の受信部２１側の回路を接続する。
【００４７】
本実施の形態の携帯無線端末４における上述した以外のシステム構成については、先に図３により説明した、第２の実施の形態の携帯無線端末２のシステム構成と同様であるので、図中、同一符号を付し、その説明は省略する。
【００４８】
本実施の形態の携帯無線端末４で、ユーザーが切換ボタン１８を押すことによって、制御部３１はモード切換部５１に命令信号を送り、モード切換部５１は以下の２つのモードに切換えるモード制御信号を第１の送信部２２、第１の受信部２１、第２の受信部２３、及び第１の分波器４２に送り、第１の送信部２２、第１の受信部２１、第２の受信部２３、及び第１の分波器４２は、入力されたモード制御信号に対応する予め定められた処理を実行する。
【００４９】
モード１（ＴＶモード）：第１の分波器４２は、共用アンテナ１３を第２の受信部２３側の回路に接続する。
併せて、第１の送信部２２及び第１の受信部２１への電源供給を停止し、第１の送信部２２及び第１の受信部２１による共用アンテナ１３を使用しての電波の送受信を禁止させるとともに、第２の受信部２３へ電源供給を行い、共用アンテナ１３で受信される電波の第２の受信部２３による受信処理（例えば、増幅、周波数変換、復調等の処理）を実行可能にする。
【００５０】
モード２（電話モード）：第１の分波器４２は、共用アンテナ１３を第２の分波器４３側の回路に接続する。
併せて、第２の受信部２３への電源供給を停止し、共用アンテナ１３で受信される電波の第２の受信部２３による受信処理を停止させるとともに、第１の送信部２２及び第１の受信部２１へ電源供給を行い、共用アンテナ１３を使用しての第１の送信部２２及び第１の受信部２１による電波の送受信を、第２の分波器４３と協働して実行可能にする。
【００５１】
したがって、図６において、第１の分波器４２を設けず、共用アンテナ１３を、前述した第１〜第３の実施の形態の携帯無線端末１〜３のシステム構成において説明した分波器４１に対応する第２の分波器４３、及び第２の受信部２３にそれぞれ接続し、第１のアンテナ１１及び第２のアンテナ１２を１本のアンテナで共用化した場合には、第１の送信部２２から発信する信号が、第２の分波器４３（分波器４１に対応）を介して、直接第２の受信部２３に回り込むため、第２の受信部２３が受ける影響が、第１〜第３の実施の形態に代表されるような、第１及び第２のアンテナを別々に使用したものよりも大きくなる。
【００５２】
ところが、本実施の形態の携帯無線端末４によれば、第２の受信部２３が受信を行っているときは、第１の分波器４２によって、共用アンテナ１３は第２の受信部２３側に接続され、第１の受信部２１及び第１の送信部２２は、共用アンテナ１３と接続されないので、第１の送信部２２からの信号は共用アンテナ１３から発信できないため、上記のような影響を受けることがない。
【００５３】
さらに、このときには、第１の受信部２１の動作が停止しているため、第１の受信部２１が受信を行うことによって生じるＩＦやローカル等の電波の漏れが、第２の受信部２３に与える影響がなくなる。
【００５４】
さらにまた、第２の受信部２３が受信を行っているときは、第１の受信部２１及び第１の送信部２２の両方の電源供給を停止するため、節電効果もさらに高まっている。
【００５５】
［第５の実施の形態］
図７は、本発明の第５の実施の形態による携帯無線端末のシステム構成を示したブロック図である。
なお、本実施の形態の携帯無線端末５の説明に当たっては、前述した第４の実施の形態の場合と構成が同じ各部については同一符号を付し、外観図は省略する。
【００５６】
本実施の形態の携帯無線端末５では、第５の実施の形態の携帯無線端末２の場合の、モード制御信号を第１の受信部２１、第１の送信部２２、第２の受信部２３、及び第１の分波器４２を供給して、これら各部の電源供給／停止を制御する代わりに、第１の分波器４２に代えて切換部６２を介在させ、この切換部６２がモード切換部５１からのモード制御信号によってその作動が制御される構成になっている。
【００５７】
本実施の形態の携帯無線端末５は、モード制御信号に基づき、切換部６２を、共用アンテナ１３と分波器４３とを、又は共用アンテナ１３と第２の受信部２３とを接続する回路として選択的に切換える構成になっている。
【００５８】
切換部６２は、モード切換部５１から送られるモード制御信号によって、以下の２つのモードに切換わることによって、第１の受信部２１と第１の送信部２２との通信停止及び第２の受信部２３の受信復帰、又は第１の受信部２１と第２の送信部２２との通信復帰及び第２の受信部２３の受信停止を実行する。
【００５９】
モード１（ＴＶモード）：共用アンテナ１３と分波器４３との間を接続する回路を切断し、共用アンテナ１３と第２の受信部２３との間の回路を接続する。
モード２（電話モード）：共用アンテナ１３と第２の受信部２３との間を接続する回路を切断し、共用アンテナ１３と分波器４３との間の回路を接続する。
【００６０】
したがって、ユーザーは、切換ボタン１８の操作により、ＴＶを見る場合には、モード１を選択し、携帯電話を使用する場合にはモード２を選択する。
これにより、ＴＶを見る場合には、モード切換部５１から送られるモード制御信号によって、切換部６２は、共用アンテナ１３と分波器４３との間を接続する回路を切断するため、共用アンテナ１３を介して第１の送信部２２から電波が発信されることがない。
【００６１】
そのため、第１の受信部２１及び第１の送信部２２は、共用アンテナ１３と切り離され、携帯電話として機能できなくなるとともに、共用アンテナ１３を介在させての第２の受信部２３との接続も不可能になる。
【００６２】
これにより、共用アンテナ１３を共有することによって生じる問題である第１の送信部２２から発信する信号が回路を通じて第２の受信部２３に回り込む現象を解消することができ、ＴＶの映像の劣化やノイズ等の影響を改善することができる。
【００６３】
［第６の実施の形態］
図８は、本発明の第６の実施の形態による携帯無線端末のシステム構成を示したブロック図である。
なお、本実施の形態の携帯無線端末６の説明に当たっては、前述した第４，第５の実施の形態の場合と構成が同じ各部については同一符号を付し、外観図は省略する。
【００６４】
本実施の形態の携帯無線端末６は、前述した第５の実施の形態の携帯無線端末５に、受信レベル判別手段７１を設けたものである。
受信レベル判別手段７１は、ＴＶ受信時に第２の受信部２３からある一定のタイミングで供給される現在の受信レベルを表す信号を受信し、その現在の受信レベルを表す信号から得られる受信レベルが、予め定められたある一定以下になったときに、切換部６２にモードを前述した第５の実施の形態におけるモード２（電話モード）に切換えるモード切換命令信号を送る構成になっている。
【００６５】
したがって、切換部６２は、モード切換部５１から送られるモード制御信号に加えて、受信レベル判別手段７１から供給されるモード切換命令信号によっても、第１の受信部２１及び第１の送信部２２は共用アンテナ１３に接続されることによって通信可能な状態となる。
【００６６】
これにより、本実施の形態の携帯無線端末６によれば、第５の実施の形態の携帯無線端末５と同様な効果が得られるのに加えて、第２の受信部２３が受信している電波弱く、正常に受信することができない状態のときに、受信レベル判別手段７１から供給されるモード切換命令信号によって、モードを切換えることによって、切換部６２がユーザーによる切換ボタン１８の操作に依らずに、自動的に第１の受信部２１及び第１の送信部２２による通信可能な状態にできるため、非常に便利である。
【００６７】
また、本実施の形態の携帯無線端末６における受信レベル判別手段７１により自動的に電話モードに復帰する構成は、前述した第１〜４の実施の形態の携帯無線端末１〜４においても適用可能であり、同様な効果が得られる。
【００６８】
なお、本発明は、以上説明した実施の形態による携帯無線端末１〜６のとおりであるが、本発明は上記実施の形態に限定されるものではなく、種々の実施の形態の変形が可能である。
【００６９】
例えば、図６に示した第５の実施の形態の携帯無線端末５にあっては、第１の分波器４２に代えて、第２の受信部２３の入力側に、図４に示した第３の実施の形態の携帯無線端末３における切換部６１を設けることによって、同様な効果を得ることもできる。
【００７０】
また、上記実施した実施の形態では、第２の受信部２３はＴＶの受信機能部として説明したが、第１の受信部２１と異なる周波数帯域で映像、画像、音声等の連続するデータを受信する機能を有するものであるならば、ＴＶの受信機能部に限るものではない。
【００７１】
【発明の効果】
以上のように、本発明によれば、以上のように本発明によれば、第１のアンテナと第１の受信部と第１の送信部を備え、第１の周波数帯域で通信を行う第１の通信装置と、第２のアンテナと第２の受信部を備え、第２の周波数帯域で映像、画像、音声等のデータの受信を行う第２の通信装置とを有する携帯無線端末において、第２の通信装置が受信を行っているときに第１の通信装置における第１の送信部から送信される電気信号及び電波によって、第２の通信装置における第２の受信部が受ける映像、画像、音声データの劣化及び周期的なノイズの影響を解消することができる。
【００７２】
また、第１の通信装置の通信機能を停止させる手段として、第１の送信部の電源供給を停止する方法を取ることによって、節電効果にもなり、これにより電池の持ちが良くなる。さらに、この場合は、第１の通信装置における第１の受信部を動作させておくこともできるので、圏外・圏内等の受信可能なデータは受信することができる。
【００７３】
また、第１の通信装置の通信機能を停止させる手段として、第１の送信部だけでなく、第１の受信部の通信機能を停止することにより、第１の受信部から漏れるＩＦやローカル等の信号によって第２の受信部が受ける影響を解消することができる。
【００７４】
また、第２の通信装置での受信が不可能な場合に、自動的に第１の通信装置の通信機能を復帰させるようにすれば、切換操作に依らずとも第１の通信装置による通信が可能な状態になっているので、便利である。
【００７５】
さらに、第２の通信装置における第２の受信部がデータを受信しているときは、第１の通信装置における第１の送信部から電波が発信されることがないため、電車や飛行機等といった携帯電話の発信禁止区域においても使用することができる。
【図面の簡単な説明】
【図１】本発明の第１の実施の形態による携帯無線端末の外観斜視図である。
【図２】図１に示した携帯無線端末のシステム構成を示したブロック図である。
【図３】本発明の第２の実施の形態による携帯無線端末のシステム構成を示したブロック図である。
【図４】本発明の第３の実施の形態による携帯無線端末のシステム構成を示したブロック図である。
【図５】本発明の第４の実施の形態による携帯無線端末の外観斜視図である。
【図６】図５に示した携帯無線端末のシステム構成を示したブロック図である。
【図７】本発明の第５の実施の形態による携帯無線端末のシステム構成を示したブロック図である。
【図８】本発明の第６の実施の形態による携帯無線端末のシステム構成を示したブロック図である。
【図９】従来の携帯電話と携帯ＴＶの使用例を示した図である。
【図１０】携帯電話及び携帯ＴＶ受信機それぞれのシステム構成を示したブロック図である。
【符号の説明】
１，２，３，４，５，６  携帯無線端末
１０  端末筐体
１１  第１のアンテナ
１２  第２のアンテナ
１３  共用アンテナ
１４  液晶表示部
１５  操作部
１６  送話部
１７  受話部
１８  切換ボタン
２１  第１の受信部
２２  第１の送信部
２３  第２の受信部
３１  制御部
４１，４２，４３  分波器
５１  モード切換部
６１，６２  切換部
７１  受信レベル判別手段
８０  携帯電話
８１  アンテナ
９０  携帯ＴＶ受信機
９１  アンテナ
【図１】
2004207880.tif 000003
【図２】
2004207880.tif 000004
【図３】
2004207880.tif 000005
【図４】
2004207880.tif 000006
【図５】
2004207880.tif 000007
【図６】
2004207880.tif 000008
【図７】
2004207880.tif 000009
【図８】
2004207880.tif 000010
【図９】
2004207880.tif 000011
【図１０】
2004207880.tif 000012